(57)【要約】【課題】  回線異常が発生してから短時間で回線異常と判断することができる同報無線システム、親局装置および子局装置を目的とする。【解決手段】  同報無線システムは、情報を拡声通報する複数の子局装置２０と、各子局装置２０に対して無線を用いて情報を同報に送信する親局装置１０とを有する。親局装置１０は、複数の子局装置２０の何れかと通話を行う場合、通話に用いる上りおよび下りの通話スロットを、通話相手の子局装置２０に対して通知し、子局装置２０は、この通知に対する応答を複数回送信し、それらの応答の少なくとも何れかに送信回数に係る情報を含め、この応答を受信する親局装置１０は、応答に含まれる送信回数だけ応答を受信した後に、上りの通話スロットを受信設定する。【選択図】  図５
2011223322.tif 000002
【特許請求の範囲】
【請求項１】
情報を拡声通報する複数の子局装置と、各子局装置に対して無線を用いて情報を同報に送信する親局装置とを有する同報無線システムであって、
前記親局装置は、
前記複数の子局装置の何れかと通話を行う場合、通話接続手順の信号を送受信する制御用スロットを用いて通信し、通話に用いる上りおよび下りの通話スロットを、通話相手の子局装置に対して通知するスロット通知手段と、
前記上りの通話スロットを用いて送られてくる無線信号を受信するように上りの通話スロットを受信設定する通話スロット移行手段とを備え、
前記子局装置は、
前記スロット通知手段により通知される前記通話に用いる上りおよび下りの通話スロットを受信した場合に、前記通知に対する応答を複数回送信するよう送信回数を決定するとともに、前記送信回数に係る情報を、前記応答のうちの少なくとも１つに含める応答制御手段と、
前記応答を、前記応答制御手段により決定される回数だけ送信する応答送信手段とを備え、
前記親局装置は、
前記応答送信手段より送信される応答に含まれる前記送信回数に係る情報を参照し、前記送信回数だけ前記応答を受信した場合に、前記上りの通話スロットを受信設定することを判断する通話スロット判断手段をさらに備えることを特徴とする同報無線システム。
【請求項２】
情報を拡声通報する複数の子局装置と、各子局装置に対して無線を用いて情報を同報に送信する親局装置とを有する同報無線システムにおいて、前記親局装置からの通知に対する応答を複数回送信するよう送信回数を決定するとともに、前記送信回数に係る情報を、前記応答のうちの少なくとも１つに含め、前記送信回数だけ前記応答を送信する子局装置と通話する親局装置であって、
前記複数の子局装置の何れかと通話を行う場合、通話接続手順の信号を送受信する制御用スロットを用いて通信し、通話に用いる上りおよび下りの通話スロットを、通話相手の子局装置に対して通知するスロット通知手段と、
前記上りの通話スロットを用いて送られてくる無線信号を受信するように上りの通話スロットを受信設定する通話スロット移行手段と、
前記子局装置からの前記応答に含まれる前記送信回数に係る情報を参照し、前記送信回数だけ前記応答を受信した場合に、前記上りの通話スロットを受信設定することを判断する通話スロット判断手段をさらに備えることを特徴とする親局装置。
【請求項３】
情報を拡声通報する複数の子局装置と、各子局装置に対して無線を用いて情報を同報に送信する親局装置とを有する同報無線システムにおいて、前記親局装置と前記複数の子局装置の何れかとが通話を行う場合に、通話相手の子局装置からの通知に応じて通話スロットを受信設定する親局装置と通話する子局装置であって、
前記親局装置から通知されるスロット通知手段により通知される通話に用いる上りおよび下りの通話スロットを受信した場合に、前記通知に対する応答を複数回送信するよう送信回数を決定するとともに、前記送信回数に係る情報を、前記応答のうちの少なくとも１つに含める応答制御手段と、
前記応答を、前記応答制御手段により決定される回数だけ送信する応答送信手段とを備えることを特徴とする子局装置。
【発明の詳細な説明】
【技術分野】
【０００１】
本発明は、例えば、防災無線等の同報無線システムにおける親局装置と子局装置との間での通話接続手順に関する。
【背景技術】
【０００２】
同報無線システムは、市役所や村役場などに設置される親局装置から、公民館や公園等に設置される、ある程度の範囲の地域に向けて主に音声で情報を通報する複数の子局装置や、民家の屋内に設置される戸別受信機と、無線で通信するシステムである。親局装置と子局装置との間の距離が離れている場合には、中継局装置によって無線信号が中継される。子局装置は、親局装置から情報が送られてくると、自らの子局装置が設置された地域に向けて、屋外に設置されたトランペットスピーカ等にて音声出力（拡声）されるようになっており、市区町村から住民への防災情報や行政情報等の伝達に用いられている。
【０００３】
このような同報無線システムは、親局装置から複数の子局装置への同報的な通報だけでなく、親局装置および子局装置に接続される電話機を用いて、親局装置と子局装置との間、または親局装置と中継局装置との間で通話を行うことができるようになっている。
【０００４】
同報無線システムでは、親局装置と任意の子局装置間、または親局装置と中継装置との間で通話ができる通話用の複信回線がある。この通話用の複信回線の信号は、１フレームをスロット０からスロット５までの６つのスロットに分割し、スロット０は親局装置から無線送信される下りの制御情報用に、スロット３を中継局装置または子局装置から無線送信される上りの制御情報用に使用する。また、スロット１およびスロット２は親局装置から任意の中継局装置または子局装置への下り通話回線用に、スロット４およびスロット５は中継局装置または子局装置から親局装置への上り通話回線用に割り当てられている。
【０００５】
同報無線システムにおいて親局装置と任意の子局装置との間、または親局装置と中継局装置との間で通話を行う場合、通話接続を開始するための手順（通話接続シーケンス）は、制御情報用のスロット０およびスロット３を使用し、通話は、スロット１およびスロット４の組合せまたはスロット２およびスロット５の組合せのどちらかを用いて通話を行う。すなわち、通話接続シーケンスでは、制御情報用スロットの使用を終了し通話用のスロットの使用を開始するというスロットの移行が行われる。
【０００６】
親局装置では、通話接続シーケンスの開始の有無に関わらず、制御情報用の上りスロットであるスロット３を受信する状態に設定され、通話接続シーケンスが開始されるとこのスロット３を用いて送られてくる、通話相手となる子局装置等（任意の子局装置または中継局装置の何れか）からの制御情報を受信する。この通話接続シーケンスの中で、親局装置は、通話相手の子局装置等に対して、通話用スロットのどの組合せを用いて通話を行うかを通知する。親局装置は、この通知を出力した後に通話用のスロットを受信状態に設定する。一方、子局装置は、通話で使用するスロットの通知に合わせて通話データを送信する。この場合、子局装置から通話データが送信開始されるまでの間にタイムラグが生じる。つまり、親局装置が通話用スロットを受信状態に設定しても、その受信状態の通話用スロットには子局装置からの無線信号が送られてこないため、受信信号が断という状態となる。
【０００７】
この受信信号が断という状態の発生は、回線異常が発生した場合の検出に影響を与える。すなわち、受信信号が一定時間断であった場合はその回線の同期がとれていない状態であるため、回線に異常が発生したと判断するが、上記通話接続シーケンスにおいてスロット移行時に受信信号が断となる時間があるため、回線異常と判断する受信信号断の時間は、通話接続シーケンスにおける受信信号が断となる時間よりも十分長い時間を設定する必要がある。これにより、回線異常が発生した場合、回線異常が発生したと判断するまでの時間が長くなるという問題がある。
【０００８】
なお、ＰＨＳ（パーソナル・ハンディホン・システム）における一斉通報でのタイムスロットの指定に関する技術としては、例えば、特許文献１が知られている。
【先行技術文献】
【特許文献】
【０００９】
【特許文献１】特開２０００−１１５０６８号公報
【発明の概要】
【発明が解決しようとする課題】
【００１０】
しかしながら、上記特許文献１は、ＰＨＳにおける一斉通報について記載されたものであり、同報無線システムの通話接続シーケンスを考慮したものではなく、上記問題を改善することができない。
【００１１】
本発明は、上記事情を鑑みなされたもので、回線異常が発生してから短時間で回線異常と判断することができる同報無線システム、親局装置および子局装置を目的とする。
【課題を解決するための手段】
【００１２】
上記目的を達成するために、本発明による同報無線システムは、情報を拡声通報する複数の子局装置と、各子局装置に対して無線を用いて情報を同報に送信する親局装置とを有する同報無線システムであって、前記親局装置は、前記複数の子局装置の何れかと通話を行う場合、通話接続手順の信号を送受信する制御用スロットを用いて通信し、通話に用いる上りおよび下りの通話スロットを、通話相手の子局装置に対して通知するスロット通知手段と、前記上りの通話スロットを用いて送られてくる無線信号を受信するように上りの通話スロットを受信設定する通話スロット移行手段とを備え、前記子局装置は、前記スロット通知手段により通知される前記通話に用いる上りおよび下りの通話スロットを受信した場合に、前記通知に対する応答を複数回送信するよう送信回数を決定するとともに、前記送信回数に係る情報を、前記応答のうちの少なくとも１つに含める応答制御手段と、前記応答を、前記応答制御手段により決定される回数だけ送信する応答送信手段とを備え、前記親局装置は、前記応答送信手段より送信される応答に含まれる前記送信回数に係る情報を参照し、前記送信回数だけ前記応答を受信した場合に、前記上りの通話スロットを受信設定することを判断する通話スロット判断手段をさらに備えることを特徴とする。
【００１３】
また、上記目的を達成するために、本発明による親局装置は、情報を拡声通報する複数の子局装置と、各子局装置に対して無線を用いて情報を同報に送信する親局装置とを有する同報無線システムにおいて、前記親局装置からの通知に対する応答を複数回送信するよう送信回数を決定するとともに、前記送信回数に係る情報を、前記応答のうちの少なくとも１つに含め、前記送信回数だけ前記応答を送信する子局装置と通話する親局装置であって、前記複数の子局装置の何れかと通話を行う場合、通話接続手順の信号を送受信する制御用スロットを用いて通信し、通話に用いる上りおよび下りの通話スロットを、通話相手の子局装置に対して通知するスロット通知手段と、前記上りの通話スロットを用いて送られてくる無線信号を受信するように上りの通話スロットを受信設定する通話スロット移行手段と、前記子局装置からの前記応答に含まれる前記送信回数に係る情報を参照し、前記送信回数だけ前記応答を受信した場合に、前記上りの通話スロットを受信設定することを判断する通話スロット判断手段をさらに備えることを特徴とする。
【００１４】
また、上記目的を達成するために、本発明による子局装置は、情報を拡声通報する複数の子局装置と、各子局装置に対して無線を用いて情報を同報に送信する親局装置とを有する同報無線システムにおいて、前記親局装置と前記複数の子局装置の何れかとが通話を行う場合に、通話相手の子局装置からの通知に応じて通話スロットを受信設定する親局装置と通話する子局装置であって、前記親局装置から通知されるスロット通知手段により通知される通話に用いる上りおよび下りの通話スロットを受信した場合に、前記通知に対する応答を複数回送信するよう送信回数を決定するとともに、前記送信回数に係る情報を、前記応答のうちの少なくとも１つに含める応答制御手段と、前記応答を、前記応答制御手段により決定される回数だけ送信する応答送信手段とを備えることを特徴とする。
【発明の効果】
【００１５】
本発明による同報無線システム、親局装置および子局装置によれば、回線異常が発生してから短時間で回線異常と判断することができる。
【図面の簡単な説明】
【００１６】
【図１】本発明の一実施の形態に係る同報無線システムの構成を示すブロック図。
【図２】図１の同報無線システムに設けられる親局装置の構成を示すブロック図。
【図３】図１の同報無線システムに設けられる子局装置の構成を示すブロック図。
【図４】図１の同報無線システムで使用されるフレーム構成を示す図。
【図５】図１の同報無線システムにおける通話接続手順を示すシーケンス図。
【図６】図５の通話接続手順の無線チャネル指示応答のフレーム構成を示す図。
【図７】親局装置の通話接続手順を示すフローチャート。
【発明を実施するための形態】
【００１７】
以下、本発明の実施例を、図面を参照して説明する。
【実施例】
【００１８】
図１は、本発明の一実施の形態を示す同報無線システムを示すブロック図である。  
同報無線システムは、親局装置１０と、親局装置１０から受信した無線信号に含まれる音声情報を拡声して周囲へ通報する複数の子局装置２０とを有する。同報無線システムによっては、親局装置１０から送信された無線信号を子局装置２０へ中継する中継局装置３０や、家屋内に設置されて親局装置１０からの電波または中継局装置３０を介しての電波を受信して、家屋内で親局装置１０から送信された情報を再生する戸別受信機４０を有する場合もある。親局装置１０には、操作卓１０ａが接続される。操作卓１０ａには、操作者が音声を入力するマイクや、子局装置から拡声される音声の音量を指定するために必要な情報を入力するキーボードやマウス、若しくはタッチパネルなどのユーザーインタフェース等が備えられる。
【００１９】
この同報無線システムは、市役所や村役場などの自治体から住民に対して情報を通報するのに用いられ、主に災害等が発生した場合などの緊急時の情報伝達手段に用いられる。この他、お昼や夕刻などの定時に時間を報知するために音楽やチャイムを鳴らすなど、緊急時以外の同報無線システムの使用方法は各自治体によって様々である。また、同報無線システムは、親局装置１０から全ての子局装置２０へ同時に通報するだけでなく、一部の子局装置２０への通報というように地域を限定しての通報や、一つの子局装置２０への通報も行うことができるようになっている。
【００２０】
また、このような同報無線システムは、親局装置１０から子局装置２０への一方的な情報伝達だけでなく、親局装置１０と任意の子局装置２０との間、または親局装置１０と中継局装置３０との間で、夫々の装置に接続される電話機を用いて通話を行うことができるように構成される。通常の電話回線は、有線の通信線で接続されているため災害時に損傷を受けやすいが、無線システムであれば通信線は空中線（無線）であるため、災害時でも双方向の通話が可能である。
【００２１】
図２は、同報無線システムに設けられる親局装置１０の構成を示すブロック図である。  
親局装置１０には、データ合成・分岐部１１、呼制御部１２、送信伝送制御部１３、送信部１４、送受切替部１５、受信部１６、および受信伝送制御部１７を備える。
【００２２】
また、親局装置１０には構内交換機（ＰＢＸ）１００を介して電話機２００が接続される。図２では、電話機２００は１つのみ図示されているが、電話機２００の数は２つ以上接続されてもよい。
【００２３】
なお、送信伝送制御部１３、送信部１４、送受切替部１５、受信部１６、および受信伝送制御部１７は、送受信部と称される。この送受信部は、送受信部１８−１、１８−２と２つ設けられ、それらのうちの一方が現用系として動作し、他方は予備系として通常は待機している。現用系の送受信部に故障等の異常が発生した場合には、予備系の送受信部で動作するように切り替えられる。
【００２４】
データ合成・分岐部１１は、下り信号の処理として、スロット毎の送信元データを構内交換機１００を介して電話機２００から受信し、この送信元データを送信伝送制御部１３へ出力する。上り信号が入力された場合は、スロット毎の復号データを伝送先である電話機２００へ向けて伝送するため構内交換機１００へ出力する。
【００２５】
呼制御部１２は、子局装置２０または中継局装置３０との間の無線回線の呼接続制御を行うもので、データ合成・分岐部１１、送信伝送制御部１３および受信伝送制御部１７の夫々との間で、ＣＣＨ（制御チャネル）やＦＡＣＣＨ（高速付随制御チャネル）等の信号が入出力される。また、後述する通話接続シーケンス時には、スロット移行のタイミングの判断を行う。
【００２６】
送信伝送制御部１３は、データ合成・分岐部１１から入力されるデータを音声信号に対してはＳ方式コーディングに基づく符号化を行い、音声信号を含む全ての信号は送信フォーマットへ変換し、１６ＱＡＭ等の多値変調等を行って送信部１４へ変調信号を出力する。また、送受切替部１５に対して送信タイミング制御を行う。さらに、呼制御部１２との間では、ＣＣＨ（制御チャネル）やＦＡＣＣＨ（高速付随制御チャネル）等の信号が入出力される。
【００２７】
送信部１４は、送信伝送制御部１３から入力される変調信号を、無線信号へアップコンバートするとともに電力増幅器により所定の電力まで増幅し、送受切替部１５へ出力する。
【００２８】
送受切替部１５は、アンテナＡＮＴと接続され、送信と受信とを一定時間毎に切り替え、送信する場合には、送信部１４から入力される増幅された無線信号をアンテナＡＮＴへ導き、受信する場合には、アンテナＡＮＴで受信される無線信号を受信部１６へ導く。
【００２９】
受信部１６は、送受切り替える１５から入力される無線信号をダウンコンバートし、ダウンコンバートされた信号を受信伝送制御部１７へ出力する。
【００３０】
受信伝送制御部１７は、受信部１６から入力される受信信号をスロット毎に復調して復号データへ変換し、復号データをデータ合成・分岐部１１へ出力する。復号データに音声信号が含まれる場合は、Ｓ方式デコードを行い、データ合成・分岐部１１へ出力する。また、受信したデータに基づく同期処理や受信信号の受信感度を調整する自動利得制御を行う。さらに、呼制御部１２との間では、ＣＣＨ（制御チャネル）やＦＡＣＣＨ（高速付随制御チャネル）等の信号が入出力される。
【００３１】
図３は、同報無線システムに設けられる子局装置２０の構成を示すブロック図である。
【００３２】
子局装置２０には、データ合成・分岐部２１、呼制御部２２、送信伝送制御部２３、送信部２４、送受切替部２５、受信部２６、および受信伝送制御部２７を備える。また、子局装置２０には電話機２００が接続される
なお、送信伝送制御部２３、送信部２４、送受切替部２５、受信部２６、および受信伝送制御部２７は、送受信部と称される。
【００３３】
データ合成・分岐部２１は、下り信号の処理として、スロット毎の送信元データを電話機２００から受信し、この送信元データを送信伝送制御部２３へ出力する。上り信号が入力された場合は、スロット毎の復号データを伝送先である電話機２００へ出力する。
【００３４】
呼制御部２２は、親局装置１０との間の無線回線の呼接続制御を行うもので、データ合成・分岐部２１、送信伝送制御部２３および受信伝送制御部２７の夫々との間で、ＣＣＨ（制御チャネル）やＦＡＣＣＨ（高速付随制御チャネル）等の信号が入出力される。また、後述する通話接続シーケンス時には、スロット移行のタイミングの判断を行う。
【００３５】
送信伝送制御部２３は、データ合成・分岐部２１から入力されるデータを音声信号に対してはＳ方式コーディングに基づく符号化を行い、音声信号を含む全ての信号は送信フォーマットへ変換し、１６ＱＡＭ等の多値変調等を行って送信部２４へ変調信号を出力する。また、送受切替部２５に対して送信タイミング制御を行う。さらに、呼制御部２２との間では、ＣＣＨ（制御チャネル）やＦＡＣＣＨ（高速付随制御チャネル）等の信号が入出力される。
【００３６】
送信部２４は、送信伝送制御部２３から入力される変調信号を、無線信号へアップコンバートするとともに電力増幅器により所定の電力まで増幅し、送受切替部２５へ出力する。
【００３７】
送受切替部２５は、アンテナＡＮＴと接続され、送信と受信とを一定時間毎に切り替え、送信する場合には、送信部２４から入力される増幅された無線信号をアンテナＡＮＴへ導き、受信する場合には、アンテナＡＮＴで受信される無線信号を受信部２６へ導く。
【００３８】
受信部２６は、送受切り替える１５から入力される無線信号をダウンコンバートし、ダウンコンバートされた信号を受信伝送制御部２７へ出力する。
【００３９】
受信伝送制御部２７は、受信部２６から入力される受信信号をスロット毎に復調して復号データへ変換し、復号データをデータ合成・分岐部２１へ出力する。復号データに音声信号が含まれる場合は、Ｓ方式デコードを行い、データ合成・分岐部２１へ出力する。また、受信したデータに基づく同期処理や受信信号の受信感度を調整する自動利得制御を行う。さらに、呼制御部２２との間では、ＣＣＨ（制御チャネル）やＦＡＣＣＨ（高速付随制御チャネル）等の信号が入出力される。
【００４０】
図４は、同報無線システムで使用される連絡通話を行う場合のフレーム構成を示す図である。  
同報無線システムで使用されるフレーム構成は、１フレームをスロット０からスロット５までの６つのスロットに分割される。スロット０は親局装置からの制御情報用に、スロット３は中継局装置または子局装置からの制御情報用に使用される。また、スロット１およびスロット２は親局装置から任意の中継局装置または子局装置への下り通話回線用に、スロット４およびスロット５は中継局装置または子局装置から親局装置への上り通話回線用に割り当てられている。なお、同報無線システムにおける通話は、スロット１（下り）およびスロット４（上り）の組合せまたはスロット２（下り）およびスロット５（上り）の組合せの何れかを用いて通話を行う。
【００４１】
同報無線システムにおいて親局装置と任意の子局装置との間、または親局装置と中継局装置との間で通話接続を開始するための手順（通話接続シーケンス）は、制御情報用のスロット０およびスロット３を使用し、通話は、スロット１およびスロット４の組合せまたはスロット２およびスロット５の組合せの何れかを用いて通話を行う。すなわち、通話接続シーケンスでは、制御情報用スロットの使用を終了し通話用のスロットの使用を開始するスロットの移行が行われる。
【００４２】
次に、図５乃至図７を参照して、同報無線システムにおける通話接続手順について説明する。
【００４３】
図５は、同報無線システムにおける通話接続手順を示すシーケンス図である。ここでは、親局装置１０から子局装置２０へ発信する場合の例を示す。なお、親局装置１０のステップ番号は、図７の親局装置１０の処理手順と同じステップ番号であり、図５の親局装置１０のステップ番号と図７の親局装置１０のステップ番号とは対応している。
【００４４】
同報無線システムの基本的な制御信号の通信の手法として、連送がある。同報無線システムは、送信した無線信号が確実に通信相手に受信されるように、同じ情報をもつ無線信号を複数回送信する。これを連送という。図７では、連送の回数が３回の場合の例を示している。また、無線信号の通信の手法として、３回の連送の他、通信相手からの応答を待つ場合、通信相手からの応答があるまで連送を続ける場合がある。
【００４５】
まず、親局装置１０に接続される電話機２００がオフフックされ発信先の情報が入力されると、「子局通話開始要求」を示す信号が下り制御用スロットであるスロット０を用いて送信される（ステップＳ１１）。この「子局通話開始要求」を示す信号は、発信先である子局装置２０から応答があるまで連送される。子局装置２０は、親局装置１０から複数回送信される「子局通話開始要求」を示す信号の何れかを受信すると、「子局通話開始応答」を示す信号をスロット３に載せて３回連送する（ステップＳ２１）。
【００４６】
親局装置１０は、子局装置２０から３回送信される「子局通話開始応答」を示す信号の何れかを受信すると、通話に使用する通話用スロットの情報、すなわち、無線チャネルを示す信号をスロット０に載せて３回連送する（ステップＳ１２）。ここでは、スロット１とスロット４の組合せの無線チャネルを用いることとする。子局装置２０は、親局装置１０から３回送信される通話に使用する通話用スロットの情報を示す信号の何れかを受信すると、「無線チャネル指示応答」を示す信号を、スロット３に載せて親局装置１０からの応答があるまで連送する（ステップＳ２２）。
【００４７】
親局装置１０は、子局装置２０から連送される「無線チャネル指示応答」を示す信号の何れかを受信すると、下り信号用スロットであるスロット１へスロット移行し（ステップＳ１３）、スロット１で送信を開始したことを示す「番号通知」の信号を下りの通話用スロットであるスロット１に載せて３回連送する（ステップＳ１４）。子局装置２０は、親局装置１０から３回送信される「番号通知」の信号の何れかを受信すると、スロット３に載せて連送し続けている「無線チャネル指示応答」をあとＭ回送信することを示す情報を、「無線チャネル指示応答」に含めて送信する（ステップＳ２３）。ここでは、あと３回送信するという例を示している。
【００４８】
ここで、図６を参照して、あとＭ回送信することを示す情報を載せる「無線チャネル指示応答」の信号フォーマットについて説明する。「無線チャネル指示応答」の信号フォーマットは、同報無線システムの規格（ＡＲＩＢ  ＳＴＤ−Ｔ８６）で規定される上りのＳＣＣＨ（共通双方向制御信号）であり、この上りＳＣＣＨのうち使用されていない「予備」のビットが複数ある。あとＭ回送信することを示す情報は、これらの「予備」の何れかに書き込むことで、親局装置１０へ通知することができる。
【００４９】
図５のステップＳ２３にてあと３回「無線チャネル指示応答」を送信することを示す情報を含む「無線チャネル指示応答」を送信した後、親局装置１０は、子局装置２０から送信される、あと３回「無線チャネル指示応答」を送信することを示す情報を含む「無線チャネル指示応答」を受信し（ステップＳ１５）、子局装置２０から送られてくる「無線チャネル指示応答」を３回からカウントダウンする（ステップＳ１６）。
【００５０】
一方、子局装置２０は、ステップＳ２３にてあと３回「無線チャネル指示応答」を送信した後は、上りの通話用スロットであるスロット４で送信を開始したことを示す「番号通知」の信号を上りの通話用スロットであるスロット４に載せて３回連送し（ステップS２４）、その後、子局にて通話が可能となったことを通知するため「子局通話応答」を示す信号をスロット４に載せて３回連送する（ステップS２５）。
【００５１】
他方、親局装置１０は、ステップＳ１６にて、「無線チャネル指示応答」を３回からカウントダウンし、「無線チャネル指示応答」を３回受信したと判断した後に、下りの通話用スロットであるスロット４へ移行する（ステップＳ１７）。スロット４で信号が送られてくるタイミングで下りのスロット（受信スロット）をスロット４へ移行するので、スロット移行の後に受信信号が断となることを防止できる。従って、親局装置１０と子局装置２０との間の同期が外れたと判断するまでの時間を短くすることができ、回線異常をより早く判断することが可能となる。
【００５２】
以上述べたように、子局装置２０は、移行前のスロットに載せて連送し続けている「無線チャネル指示応答」をあとＭ回送信することを示す情報を、「無線チャネル指示応答」に含めて親局装置１０へ送信し、親局装置１０は、あとＭ回送信されることを示す「無線チャネル指示応答」を受信し、子局装置２０から送られてくる「無線チャネル指示応答」をＭ回からカウントダウンする。親局装置１０は、「無線チャネル指示応答」をＭ回からカウントダウンし、「無線チャネル指示応答」をＭ回受信したと判断した後に、下りの通話用スロットへ移行するので、移行後のスロットで信号が送られてくるタイミングで下りのスロット（受信スロット）を移行するので、親局装置１０が下りのスロットへ移行の後に、受信信号が断となることを防止できる。
【００５３】
その結果、親局装置１０と子局装置２０との間の同期が外れたと判断するまでの時間を短くすることができ、回線異常をより早く判断することが可能となる。
【００５４】
なお、本発明は、以上の構成に限定されるものではなく、種々の変形が可能である。例えば、上記実施例では、親局装置が発信側の装置で子局装置が着信側の装置であったが、子局装置から発信し、親局装置へ着信する場合についても、同様の構成および手順によりスロット移行時の受信信号が断となることを防止できる。また、通話する場合の発信側措置と着信側装置の組合せは、上記に限定されるものではなく、親局装置と中継局装置であってもよい。
【符号の説明】
【００５５】
１０…親局装置、１０ａ…操作卓、２０…子局装置、３０…中継局装置、１１，２１…データ合成・分岐部、１２，２２…呼制御部、１３，２３…送信伝送制御部、１４，２４…送信部、１５，２５…送受切替部、１６，２６…受信部、１７，２７…受信伝送制御部、１８−１，１８−２，２８…送受信部、２００…電話機、３００…構内交換機（ＰＢＸ）。
【図１】
2011223322.tif 000003
【図２】
2011223322.tif 000004
【図３】
2011223322.tif 000005
【図４】
2011223322.tif 000006
【図５】
2011223322.tif 000007
【図６】
2011223322.tif 000008
【図７】
2011223322.tif 000009